【事件の表示】
　特願２０１５−１２４２４７「スマートフォン」拒絶査定不服審判事件〔平成２８年　３月２４日出願公開、特開２０１６−　４０７１１、請求項の数（１２）〕について、次のとおり審決する。
【結　論】
　原査定を取り消す。
　本願の発明は、特許すべきものとする。
【理　由】
第１　手続の経緯
　本願は、平成２７年６月１９日（パリ条約による優先権主張２０１４年８月１日、大韓民国）の出願であって、同年７月９日付けで拒絶理由通知がされ、同年９月１１日に手続補正がされ、同年９月２９日付けで拒絶査定（原査定）がされ、これに対し、平成２８年２月８日に拒絶査定不服審判が請求されると同時に手続補正がされ、同年１２月１６日付けで拒絶理由通知（以下、「当審拒絶理由通知」という。）がされ、平成２９年３月１７日付けで手続補正がされたものである。
第２　原査定の概要
　原査定（平成２７年９月２９日付け拒絶査定）の概要は次のとおりである。
（進歩性）この出願の請求項１−２１に係る発明は、その出願前に日本国内又は外国において、頒布された下記Ａ−Ｆの刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　＜引用文献等一覧＞
Ａ.特開２０１１−２５８０４３号公報
Ｂ.特開２０１２−２３５２２４号公報（周知技術を示す文献）
Ｃ.特開２０１０−２４４５１４号公報（周知技術を示す文献）
Ｄ.特開２０１３−１０５１５４号公報（周知技術を示す文献）
Ｅ.国際公開第２０１１／０１３５８８号（周知技術を示す文献）
Ｆ.国際公開第２０１４／０８０９２４号（周知技術を示す文献）
第３　当審拒絶理由の概要
　本件出願の請求項１−２１に係る発明は、その出願前日本国内または外国において頒布された下記１−５の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　引　用　文　献　等　一　覧 
引用例１：特開２０１１−１００３６４号公報 
引用例２：特開２０１４−１１５７０８号公報 
引用例３：特開２０１３−１７１３６９号公報 
引用例４：特開２０１４−１１２４３６号公報 
引用例５：特開２０１１−１７０６５９号公報 
第４　本願発明
本願発明
　本願請求項１−１２に係る発明（以下、それぞれ「本願発明１」−「本願発明１２」という。）は、平成２９年３月１７日付けの手続補正で補正された特許請求の範囲の請求項１−１２に記載された事項により特定される発明であり、本願発明１−１２は以下のとおりの発明である。
「【請求項１】
　カバー層と、
　前記カバー層の下部に位置し、液晶層及び前記液晶層を挟んで位置する第１ガラス層及び第２ガラス層を含むＬＣＤパネル及び前記ＬＣＤパネルがディスプレイ機能を遂行するようにする構成を含むディスプレイモジュールと、
　前記ディスプレイモジュールの下部であって前記ディスプレイモジュールの表示領域と垂直方向において重なり合う位置に配置され、シート状に形成された圧力電極と、
　前記圧力電極の下部に位置し、バッテリ及び回路基板のうちの少なくとも一つの実装空間を前記ディスプレイモジュールから分離し、もしくは前記ディスプレイモジュールから発生するノイズを遮蔽するように構成された遮蔽用部材と、を含み、
　静電容量方式でタッチを感知するタッチセンサの少なくとも一部が前記第１ガラス層と前記第２ガラス層との間に位置し、
　前記タッチセンサは、複数の駆動電極と複数の受信電極とを含み、
　前記タッチセンサに駆動信号が印加され、前記タッチセンサから出力される感知信号からタッチ位置を検出することができ、
　前記圧力電極から出力される静電容量の変化量に基づいてタッチ圧力の大きさを検出することができ、
　前記遮蔽用部材が基準電位層であり、前記静電容量は、前記圧力電極と前記基準電位層との間の距離によって変わる自己静電容量である、
スマートフォン。
　　【請求項２】
　前記第１ガラス層と前記第２ガラス層との間に位置する前記タッチセンサの前記少なくとも一部は、前記駆動電極及び前記受信電極のうちの少なくとも一つである、請求項１に記載のスマートフォン。
　　【請求項３】
　前記ＬＣＤパネルは、前記第１ガラス層、前記液晶層及び前記第２ガラス層を挟んで位置する第１偏光層及び第２偏光層をさらに含み、
前記タッチセンサの前記少なくとも一部を除いた残りの一部は、前記第１ガラス層と前記第１偏光層との間に位置する、請求項１または２に記載のスマートフォン。
　　【請求項４】
　前記圧力電極と前記遮蔽用部材との間に位置するスペーサ層をさらに含む、請求項１ないし３のいずれか１項に記載のスマートフォン。
　　【請求項５】
　前記圧力電極と前記ディスプレイモジュールとの間に位置するスペーサ層をさらに含む、請求項１ないし３のいずれか１項に記載のスマートフォン。
　　【請求項６】
　前記圧力電極は、複数のチャネルを構成する複数の電極を含む、請求項１ないし５のいずれか１項に記載のスマートフォン。
　　【請求項７】
　カバー層と、
　前記カバー層の下部に位置し、液晶層及び前記液晶層を挟んで位置する第１ガラス層及び第２ガラス層を含むＬＣＤパネル及び前記ＬＣＤパネルがディスプレイ機能を遂行するようにする構成を含むディスプレイモジュールと、
　前記ディスプレイモジュールの下部であって前記ディスプレイモジュールの表示領域と垂直方向において重なり合う位置に配置され、シート状に形成された圧力電極と、
　前記圧力電極の下部に位置し、バッテリ及び回路基板のうちの少なくとも一つの実装空間を前記ディスプレイモジュールから分離し、もしくは前記ディスプレイモジュールから発生するノイズを遮蔽するように構成された遮蔽用部材と、を含み、
　静電容量方式でタッチを感知するタッチセンサの少なくとも一部が前記第１ガラス層と前記第２ガラス層との間に位置し、
　前記タッチセンサは、複数の駆動電極と複数の受信電極とを含み、
　前記タッチセンサに駆動信号を印加するための駆動部と、
　前記タッチセンサから感知信号を受信してタッチ位置を検出するための感知部と、
　前記圧力電極から出力される静電容量の変化量に基づいてタッチ圧力の大きさを検出するための圧力検出部と、をさらに含み、
　前記遮蔽用部材が基準電位層であり、前記静電容量は、前記圧力電極と前記基準電位層との間の距離によって変わる自己静電容量である、
スマートフォン。
　　【請求項８】
　前記第１ガラス層と前記第２ガラス層との間に位置する前記タッチセンサの前記少なくとも一部は、前記駆動電極及び前記受信電極のうちの少なくとも一つである、請求項７に記載のスマートフォン。
　　【請求項９】
　前記ＬＣＤパネルは、前記第１ガラス層、前記液晶層及び前記第２ガラス層を挟んで位置する第１偏光層及び第２偏光層をさらに含み、
前記タッチセンサの前記少なくとも一部を除いた残りの一部は、前記第１ガラス層と前記第１偏光層との間に位置する、請求項７または８に記載のスマートフォン。
　　【請求項１０】
　前記圧力電極と前記遮蔽用部材との間に位置するスペーサ層をさらに含む、請求項７ないし９のいずれか１項に記載のスマートフォン。
　　【請求項１１】
　前記圧力電極と前記ディスプレイモジュールとの間に位置するスペーサ層をさらに含む、請求項７ないし９のいずれか１項に記載のスマートフォン。
　　【請求項１２】
　前記圧力電極は、複数のチャネルを構成する複数の電極を含む、請求項７ないし１１のいずれか１項に記載のスマートフォン。」
第５　引用文献、引用発明等
１．引用文献１について
　平成２８年１２月１６日付けの拒絶の理由に引用された、引用文献１には、図面とともに以下の事項が記載されている。
ａ）「【００３１】
  ＜第１の実施形態＞
  ［センサ装置の構成］
  図１は、本発明の第１の実施形態に係るセンサ装置を示す模式的な断面図である。図２は、図１に示すセンサ装置の模式的な分解斜視図である。図２では、後に説明するセンサ装置のフレームが省略されて図示されている。
【００３２】
  
センサ装置１００は、筐体１と、筐体１の内部に配置されるタッチパネル２と、感圧センサ３とを有
筐体１は、開口部４ａが形成されたフレーム４と、開口部４ａを覆うようにフレーム４に固定される表示カバー５とを有
タッチパネル２は、開口部４ａに配置されるように表示カバー５に支持される
【００３３】
  図２に示すように、表示カバー５は矩形状でなり、例えば指やタッチペン等の図示しない操作子により押圧される操作領域５ａと、操作領域５ａの周りを囲む周縁領域５ｂとを有する。フレーム４は、開口部４ａの周りに設けられた固定部４ｂを有しており、図１に示すように、この固定部４ｂに表示カバー５の周縁領域５ｂが固定される。従って、表示カバー５の操作領域５ａにより、フレーム４の開口部４ａが覆われることになる。
【００３４】
  表示カバー５は、操作領域５ａに作用する所定以上の押圧力に対して、周縁領域５ｂと固定部４ｂとの間の接合点を支点とする操作領域５ａの撓み変形が可能なように構成される。操作領域５ａの撓み変形は弾性的であり、操作領域５ａの撓み量は押圧力に応じて連続的に変化する。表示カバー５は、例えば、アクリル樹脂、ポリカーボネート樹脂、ＰＥＴ（ポリエチレンテレフタレート）等の透明プラスチック板のほか、ガラス板、セラミックス板等で構成することができる。表示カバー５は、筐体の一部として適宜の剛性を有しつつ、ユーザによる所定以上の押圧操作力を受けて変形できるように、その厚み及び大きさ等が設定される。
【００３５】
  本実施形態では、
表示カバー５の操作領域５ａの内面６ａに、タッチパネル２の上面２ａ（第１の面）が接着され、タッチパネル２の下面２ｂ（第２の面）には、
液晶パネル等の表示パネル７が設けられ
表示パネル７の下側には、クッション部材８を介して金属シールド９が設けられ、この金属シールド９は、フレーム４の底部４ｃに固定され
【００３６】
  本実施形態では、
タッチパネル２として静電容量方式のものが用いられ
透明な部材からなるＸ電極基板及びＹ電極基板の２つの基板が積層され
Ｘ電極基板及びＹ電極基板には、ＩＴＯ（Indium Tin Oxide）等の透明な導電性材料からなる検出用Ｘ透明電極パターン及び検出用Ｙ透明電極パターンがそれぞれ形成され
Ｘ電極基板及びＹ電極基板が積層される際には、検出用Ｘ透明電極パターンの延在方向と検出用Ｙ透明電極パターンの延在方向とが、互いに略直交するように積層され
【００３７】
  静電容量方式のものの代わりに、タッチパネル２として、例えば、光学方式、表面弾性波方式、抵抗膜方式、又は超音波方式等を採用したタッチパネルが用いられてもよい。
【００３８】
  
制御ユニットＣは、
回路基板とこれに搭載される演算処理回路、メモリ等を含む各種電子部品で構成され
金属シールド９とフレームの底部４ｃの間の空間内に配置され
【００３９】
  次に、感圧センサ３の構成について説明する。
【００４０】
  図１に示すように、感圧センサ３は、表示カバー５とフレーム４との間に設けられる。図２に示すように、
感圧センサ３は
第１の電極１０と、
第２の電極１１とを有
【００４１】
  第１及び第２の電極１０及び１１としては、例えば銅、銀、ニッケル、アルミニウム、金等の金属材料や、ＺｎＯ、ＩＴＯ等の透明な導電性酸化物材料が用いられる。また、これらの導電性材料の表面に、例えばポリイミド等の絶縁材料が積層されたものが、第１及び第２の電極１０及び１１として用いられてもよい。
【００４２】
  図３は、図１に示す感圧センサ３を拡大して示す部分拡大図である。図３に示すように、上記した第１の電極１０は、粘着剤１２ａを介して、表示カバー５の周縁領域５ｂの内面６ｂに設けられる。第２の電極１１は、粘着剤１２ｂを介して、フレーム４の固定部４ｂに設けられる。第１及び第２の電極１０及び１１は、それぞれ対向するように配置され、第１及び第２の電極１０及び１１の間はエアギャップ１３となる。粘着剤１２ａ、１２ｂとしては、例えばアクリル樹脂系の透明粘着剤が用いられる。
【００４３】
  第１及び第２の電極１０及び１１の厚みは、例えば１０μｍ以上１００μｍ以下の範囲である。また、第１の電極１０と、表示カバー５の周縁領域５ｂの内面６ｂとの接触幅は、例えば１ｍｍである。同様に第２の電極１１と、フレーム４の固定部４ｂとの接触幅は、例えば１ｍｍである。エアギャップ１３の大きさは、例えば１０μｍ以上１００μｍ以下の範囲であり、本実施形態では、エアギャップ１３の大きさを１０μｍ以上３０μｍ以下としている。エアギャップ１３の大きさは、表示カバー５の撓み変形の際に第１及び第２の電極１０及び１１が相互に接触しない大きさに設定される。
【００４４】
  
第１の電極１０として、
金属ペーストを印刷したものが用いられ
同様に第２の電極１１として、
金属ペーストを印刷したものが用いられ
ｂ）「【００５０】
  
タッチパネル２の検出用Ｘ透明電極パターン及び検出用Ｙ透明電極パターンには所定の電圧が加えられ
操作領域５ａに操作子が接触すると、接触位置で重なるＸ透明電極パターン及び検出用Ｙ透明電極パターンの静電容量が変化
その変化が制御ユニットＣにて検出され
制御ユニットＣは、検出された電流の変化に基づいて、操作子が接触した位置のＸＹ座標を特定し、その結果に基づいてセンサ装置１００の動作を制御
ｃ）「【００６４】
  ＜第２の実施形態＞
  本発明の第２の実施形態に係るセンサ装置について説明する。これ以降の説明では、上記の実施形態で説明したセンサ装置１００における構成及び作用と同様な部分については、同じ符号を付し、その説明を省略又は簡略化する。」（【００６４】の記載。）
ｄ）「【０１０６】
  ＜第７の実施形態＞
  図１９は、本発明の第７の実施形態に係るセンサ装置を示す模式的な断面図である。図２０は、図１９に示すセンサ装置の模式的な分解斜視図である。
【０１０７】
  本実施形態のセンサ装置７００では、図１９及び図２０に示すように、
タッチパネル２の下面２ｂに表示パネル７の上面７ａ（第１の面）が接着され、表示パネル７の下面７ｂ（第２の面）に感圧センサ７０３が設けられ
【０１０８】
  図２０に示すように、
第１及び第２の電極１０及び１１は、表示パネル７の下面７ｂ及び金属シールド９にそれぞれ設けられ
【０１０９】
  本実施形態のセンサ装置７００では、
表示カバー５の操作領域５ａが押圧された際に、表示カバー５が撓むように変形し、これと一体となってタッチパネル２及び表示パネル７が撓むように変形
これにより操作領域５ａに加えられた押圧力が、表示カバー５の撓み量に応じた第１及び第２の電極１０及び１１間の静電容量の変化に基づいて検出され
【０１１０】
  図２１は、本実施形態に係る第１及び第２の電極１０及び１１の形状等の、他の例を示した図である。図２１では、表示パネル７の下面７ｂに設けられた第１及び第２の電極１０及び１１が示されている。スペーサ７１４（図示せず）は、第１及び第２の電極１０及び１１の形状等に合わせて適宜設けられる。
【０１１１】
  図２１（Ａ）に示すように、第１及び第２の電極１０及び１１が、表示カバー５の四隅に対応する位置と、操作領域５ａの中央に対応する位置とに複数設けられてもよい。複数の第１及び第２の電極１０及び１１は、配線７２４によりそれぞれ電気的に接続されている。これにより操作領域５ａの押圧位置にかかわらず、高い精度で押圧力を検出することができる。
【０１１２】
  図２１（Ｂ）に示すように、
第１及び第２の電極１０及び１１が、操作領域５ａの中央に対応する位置に所定の面積で設けられ
【０１１３】
  本実施形態では、表示パネル７により、操作領域５ａに画像が表示される。図１９及び図２０に示すように、操作領域５ａは、表示パネル７から見て上面７ａ側に位置する。従って、表示パネル７の下面７ｂに設けられた感圧センサ７０３により、表示パネル７の画像の表示が遮られることがない。これにより感圧センサ７０３（第１及び第２の電極１０及び１１）の形状や数、又は表示パネル７に対する感圧センサ７０３の位置等の自由度が大きくなる。特に、図２１（Ａ）及び図２１（Ｂ）に示すように、表示カバー５の操作領域５ａの中央に対応する位置に感圧センサ７０３を設けることができる。
【０１１４】
  また感圧センサ７０３が、表示パネル７の下面２ｂに設けられるので、表示カバー５、タッチパネル２及び表示パネル７の構造を、感圧センサ７０３が設置される位置にかかわらず、良好な光学特性が得られるように適宜設定することができる。」（【０１０６】〜【０１１４】の記載。）
ｅ）「【０１２８】
  ＜第１０の実施形態＞
  図２５は、本発明の第１０の実施形態に係る電子機器１０００を示す模式的な斜視図である。
電子機器１０００は、上記した各実施形態のセンサ装置の内部に、
制御ユニットが組み込まれたもの
【０１２９】
  制御ユニットは、例えば指等の操作子により、表示カバー１００５の操作領域１００５ａが押圧された際に、その押圧位置及び押圧力に基づいて、電子機器１０００に所定の動作をさせる。すなわち制御ユニットは、筐体１００１の内部のタッチパネルにより検出された操作子の接触位置に関する信号と、筐体１００１の内部の感圧センサにより検出された操作子の押圧力に関する信号とを処理することが可能である。
【０１３０】
  例えば、制御ユニットにより、操作領域１００５ａに複数のボタンが画像として表示される。そのボタンがユーザにより押圧されると、制御ユニットは、操作子の接触位置及び押圧力に基づいて、どのボタンが押圧されたかを判断する。そして、例えば押圧されたと判断したボタンに対応する画像を操作領域１００５ａに表示させる。あるいは、押圧されたと判断したボタンに対応するアプリケーションを起動させてもよい。
【０１３１】
  本実施形態において、上記制御ユニットは、第１及び第２の電極間の静電容量の変化等を検出する演算回路を有する。制御ユニットは、操作領域５ａに加えられた押圧力を検出する。
【０１３２】
  例えば上記制御ユニットは、ハードウェアで実現されてもよいし、ソフトウェア及びハードウェアの両方で実現されてもよい。ハードウェアは、典型的には、ＣＰＵ（Central Processing Unit）、ＭＰＵ（Micro Processing Unit）、ＲＡＭ（Random Access Memory）、ＲＯＭ（Read Only Memory）、ＤＳＰ（Digital Signal Processor）、ＦＰＧＡ（Field Programmable Gate Array）、ＡＳＩＣ（Application Specific Integrated Circuit）、ＮＩＣ（Network Interface Card）、ＷＮＩＣ（Wireless NIC）等を含む。ソフトウェアを構成する各種プログラムは、ＲＯＭやその他の記憶デバイスに格納される。
【０１３３】
  このような
電子機器１０００としては、
携帯電話
等が挙げられる
　上記下線部及び関連箇所の記載によれば、引用文献１には、画像を表示するための表示手段を備えるプリンタとして、以下の発明（以下、「引用発明」という。）が記載されている。
　「センサ装置１００は、筐体１と、筐体１の内部に配置されるタッチパネル２と、感圧センサ３とを有し、
　筐体１は、開口部４ａが形成されたフレーム４と、開口部４ａを覆うようにフレーム４に固定される表示カバー５とを有し、
　タッチパネル２は、開口部４ａに配置されるように表示カバー５に支持され、
　表示カバー５の操作領域５ａの内面６ａに、タッチパネル２の上面２ａ（第１の面）が接着され、タッチパネル２の下面２ｂ（第２の面）には、液晶パネル等の表示パネル７が設けられ、
　表示パネル７の下側には、クッション部材８を介して金属シールド９が設けられ、この金属シールド９は、フレーム４の底部４ｃに固定され、
　タッチパネル２として静電容量方式のものが用いられ、
　透明な部材からなるＸ電極基板及びＹ電極基板の２つの基板が積層され、
　Ｘ電極基板及びＹ電極基板には、ＩＴＯ（Indium Tin Oxide）等の透明な導電性材料からなる検出用Ｘ透明電極パターン及び検出用Ｙ透明電極パターンがそれぞれ形成され、
　Ｘ電極基板及びＹ電極基板が積層される際には、検出用Ｘ透明電極パターンの延在方向と検出用Ｙ透明電極パターンの延在方向とが、互いに略直交するように積層され、
　制御ユニットＣは、回路基板とこれに搭載される演算処理回路、メモリ等を含む各種電子部品で構成され、金属シールド９とフレームの底部４ｃの間の空間内に配置され、
　感圧センサ３は第１の電極１０と、第２の電極１１とを有し、
　第１の電極１０として、金属ペーストを印刷したものが用いられ、同様に第２の電極１１として、金属ペーストを印刷したものが用いられ、
  タッチパネル２の検出用Ｘ透明電極パターン及び検出用Ｙ透明電極パターンには所定の電圧が加えられ、操作領域５ａに操作子が接触すると、接触位置で重なるＸ透明電極パターン及び検出用Ｙ透明電極パターンの静電容量が変化し、その変化が制御ユニットＣにて検出され、制御ユニットＣは、検出された電流の変化に基づいて、操作子が接触した位置のＸＹ座標を特定し、その結果に基づいてセンサ装置１００の動作を制御するものであり、
　タッチパネル２の下面２ｂに表示パネル７の上面７ａ（第１の面）が接着され、表示パネル７の下面７ｂ（第２の面）に感圧センサ７０３が設けられ、
　第１及び第２の電極１０及び１１は、表示パネル７の下面７ｂ及び金属シールド９にそれぞれ設けられ、
　表示カバー５の操作領域５ａが押圧された際に、表示カバー５が撓むように変形し、これと一体となってタッチパネル２及び表示パネル７が撓むように変形し、これにより操作領域５ａに加えられた押圧力が、表示カバー５の撓み量に応じた第１及び第２の電極１０及び１１間の静電容量の変化に基づいて検出され、
　第１及び第２の電極１０及び１１が、操作領域５ａの中央に対応する位置に所定の面積で設けられた、
　センサ装置の内部に制御ユニットが組み込まれた、携帯電話等が挙げられる電子機器１０００。」
２．引用文献２〜４について
　平成２８年１２月１６日付けの拒絶の理由に引用された、引用文献２には、図面とともに以下の事項が記載されている。
ｆ）「【請求項１】
  第１基板と、
  第２基板と、
  前記第１基板と前記第２基板との間に狭持される液晶とを有する液晶表示パネルを備え、マトリクス状に配置された複数の画素を有する液晶表示装置であって、
  前記第２基板は、タッチパネルの検出電極を有し、
  前記各画素は、画素電極と対向電極とを有し、
  前記対向電極は、複数のブロックに分割されており、
  前記分割された各ブロックの対向電極は、連続する複数の表示ラインの各画素に対して共通に設けられており、
  前記分割された各ブロックの対向電極は、前記タッチパネルの走査電極を兼用し、
  前記各検出電極毎に設けられ、一端が前記各検出電極に接続されるキャリブレーション容量素子を有し、
  タッチ位置検出処理時に、前記各キャリブレーション容量素子の他端にキャリブレーション電圧を供給する手段を有することを特徴とする液晶表示装置。」（【請求項１】の記載。）
ｇ）「【０００４】
  インセル方式の液晶表示装置におけるタッチパネルは相互容量検出方式であり、液晶表示パネルの第１基板上に形成される走査電極と、液晶表示パネルの第２基板上に形成される検出電極との間の交差容量（Ｃｘｙ）を検出してタッチ位置を検出している。
  交差容量（Ｃｘｙ）は、液晶層、第１および第２の基板を構成するガラス基板、偏光板、接着樹脂などの誘電率や厚みのばらつき、また不均一性のため、個体差や面内ばらつきを持っており、キャリブレーションが必須である。
  また、インセル方式の液晶表示装置におけるタッチパネルの出荷検査では、タッチパネル全面を覆うことができる面積の金属プレートを乗せて、走査電極と検出電極の全交点のＲａｗデータにおける、金属プレートを乗せた前後の差分値が規定範囲内にあると良品と判定する。
  この金属プレート検査は、短時間で判定できる一方、互いに隣接する２つの検出電極の隣接ショート不良の検出は困難である。この隣接ショート不良には、互いに隣接する２つの検出電極に接続される、フレキシブル配線基板上の配線の隣接ショート不良も含まれる。
  互いに隣接する２つの検出電極の隣接ショート不良の検出は、走査電極と検出電極の各交点毎の打点検査で可能であるが、検査に時間を要するため生産効率が著しく低下する。また、フレキシブル配線基板上の検出電極に接続される配線に、テストパッドを設けオープンショート検査をする方法は、ノイズや静電気に弱くなる、あるいは、フレキシブル配線基板が大きくなる等のデメリットがある。」（【０００４】の記載。）
　平成２８年１２月１６日付けの拒絶の理由に引用された、引用文献３には、図面とともに以下の事項が記載されている。
ｈ）「【００３０】
  図１は、本発明に係るエンベディッド型タッチスクリーン１の原理を示すための模式断面図である。同図において、エンベディッド型タッチスクリーン１に表示される画像は、図中上側より観察者により観察される。エンベディッド型タッチスクリーン１は、一般的な液晶表示装置としての構成を有しており、観察者側に配置されるガラス等からなる透明基板である第１の基板２と第２の基板３とに液晶層４が挟まれた構造の液晶パネルと、さらにその背面側に平面光源であるバックライト５が配置される。以降では、エンベディッド型タッチスクリーン１の観察者側に向く面を前面、その反対側の面を背面と呼び、観察者側を前面側、その反対側を背面側と呼びならわす。
【００３１】
  第１の基板２の背面には、絶縁層６が形成されている。絶縁層６は、同図ではその詳細な構造を省略して示しているが、カラーフィルタ層や配向膜などから構成されており、そのため、第１の基板２は一般にカラーフィルタ基板と呼ばれる。また、エンベディッド型タッチスクリーン１がアクティブマトリクス形式の液晶表示装置でもある場合、第２の基板３の前面には、スイッチング素子としてのＴＦＴや各種配線、液晶層４中の液晶材料の配向方向を制御するための各種電極等の電気的構造が形成される。ここでは、それら電気的構造は、模式的に付番７及び８が付された電極のみが示されている。付番７及び８が付された電極やその他の電気的構造は、絶縁層９に覆われている。絶縁層９は、同図ではその詳細な構造を省略して示しているが、一般的な絶縁膜や配向膜などから構成されるものである。
【００３２】
  ここで、付番７が付された電極は、交番電源１０に接続されており、同回路により交番信号が印加される励起電極７である。なお、ここで交番信号とは、周期的にその大きさと向きが変化する電流又は電圧を示しており、その波形は問わない。本明細書では、以降交番信号としてはその代表的なものとして、正弦波交流電圧を用いることとするが、これに限定するものではない。一方、付番８が付された電極は、励起電極７に隣接して配置される検出電極８であり、同電極に接続された増幅器１１により、同電極に励起された信号、すなわち電圧又は電流を増幅し、その結果を検出するためのものである。ここでは、例として、増幅器１１は検出電極８に励起された電圧を増幅するものとする。
【００３３】
  ここで、励起電極７に印加された交番信号により励起される電界は交番電界であり、図１にその電気力線を破線で示すように、励起電極７から第１の基板の前面側にはみ出し、検出電極８へとつながる。このとき、検出電極８には、かかる交番電界により励起された信号が発生する。ここで、エンベディッド型タッチスクリーン１の使用者が、第１の基板２の前面に指１２、あるいは導電性を有するスタイラスその他の部材を触れると、図２に示すように、励起電極７と検出電極８間の交番電界が遮られ、検出電極８に励起される信号のレベルは低下する。増幅器１１により増幅された、かかる信号レベルの変化を検知することにより、エンベディッド型タッチスクリーン１の前面に使用者が触れたことが検知され、さらに、信号レベルの変化のあった検出電極８の位置により、使用者が触れた位置、すなわち、座標検知がなされるのである。」（【００３０】〜【００３３】の記載。）
　平成２８年１２月１６日付けの拒絶の理由に引用された、引用文献４には、図面とともに以下の事項が記載されている。
ｉ）「【００２９】
  本タッチ制御ディスプレイ装置は、
  第１基板１１と、第２基板１３と、
  第１基板１１と第２基板１３との間に配設された液晶層１５と、共通電極１７と、複数の画素単位と、
  共通電極１７の上に配設された複数のタッチ感知電極１９であって、二次元アレイに配置された複数のタッチ感知電極１９と、
  を含む。」（【００２９】の記載。）
　上記の記載によれば、引用文献２，３には、液晶表示パネルをガラス等からなる２つの基板に挟まれた液晶層を有する構造とすると共に、当該基板間に、タッチパネルの少なくとも一部を位置させる技術が記載されている。
　また、引用文献４には、タッチパネルの少なくとも一部をディスプレイパネルの基板間に位置させる技術が記載されている。
３．引用文献５について
　平成２８年１２月１６日付けの拒絶の理由に引用された、引用文献５には、図面とともに以下の事項が記載されている。
ｊ）「【００２８】
  感圧センサ６０は、筐体７０に固定配置されている。感圧センサ６０は、その厚み方向に沿ってそれぞれ配置された対向する第１面６２ａ及び第２面６２ｂを有している。第１面６２ａ側がタッチパネル５０に固定配置され、第２面６２ｂ側が筐体７０に固定配置される。第１面６２ａには、第１の電極としての駆動電極６１及び第２の電極としての受信電極６６が互いに離間して配置されている。駆動電極６１と受信電極６６とは第２の静電容量を形成している。第２面６２ｂには、接地電極６３が設けられている。すなわち、弾性体６２を挟み込むようにして、駆動電極６１及び受信電極６６と、接地電極６３とが対向して配置される。入力操作面５１と垂直な方向、すなわち弾性体６２の厚み方向（図面ｚ軸方向）に入力操作面５１を押圧すると、感圧センサ６０の弾性体６２がその厚み方向に縮小するように歪むとともに、この感圧センサ６０が接着固定されているトッププレート４０及びタッチパネル５０が押圧方向に移動する。このように、感圧センサ６０は、押圧によって、ｚ軸方向にその厚みが変位する構成となっている。そのため、指による押圧によって感圧センサ６０の変位分、タッチパネル５０は液晶パネル３０に近づくように移動するので、その移動分を考慮してセンサユニット１００と液晶パネル３０との間には空隙９５が設けられている。」（【００２８】の記載。）
ｋ）「【００４５】
［感圧センサの動作原理］
  次に、本実施形態における感圧センサ６０の動作原理について図５を用いて説明する。本実施形態の感圧センサ６０においては、駆動電極６１及び受信電極６６、弾性体６２、接地電極６３の積層方向に加わる押圧力に応じて静電容量が変化する。図５（ａ）に示すように、押圧力が加わっていない状態では、駆動電極６１と受信電極６６間で電界１１０が形成され、駆動電極６１と受信電極６６とが静電的に結合している。そして、指によって押圧力が加わると、図５（ｂ）に示すように、感圧センサ６０を構成する弾性体６２はその厚みｄがｄ´に減少するように歪み、この歪みによって、駆動電極６１及び受信電極６６と、接地電極６３との距離が小さくなる。これにより、駆動電極６１及び受信電極６６によって形成された電界の一部が、より低い電位である接地電極６３と結合される。その結果、駆動電極６１と受信電極６６によって形成される電界１１１は、押圧前の電界１１０よりも弱くなり、駆動電極６１と受信電極６６との間の静電容量が減少する。このように、入力操作面に対する操作子による押圧によって、第２の静電容量を押圧前の第２の静電容量よりも小さく変換、言い換えると減少させることができる。
【００４６】
  感圧センサ６０は、静電容量変化率が、押し込み力、すなわち感圧センサ６０に加わる押圧力にほぼ比例するリニアな特性を有している。本実施形態においては、駆動電極６１に信号発生回路４から矩形のパルスを加え、受信電極６６から得られる信号（第２の信号）が、図示しない回路基板に設けられている電荷検出回路６に入力され、駆動電極６１と受信電極６６間の第２の静電容量の変化を検出することができる。そして、駆動電極６１、受信電極６６間の静電容量変化から、入力操作面５１への押圧による入力決定操作がなされたことを判定することができる。」（【００４５】〜【００４６】の記載。）
　上記の記載によれば、引用文献５には、「駆動電極６１」と「受信電極６６」とを同一面に設けると共に、これら両電極と対向する位置に「接地電極６３」を設けた「感圧センサ６０」をタッチパネルに設ける技術が記載されている。
第６　対比・判断
１．本願発明１について
（１）対比
　本願発明１と引用発明とを対比する。 
ア．引用発明の「表示カバー５」は、「タッチパネル２の上面２ａ（第１の面）が接着され、タッチパネル２の下面２ｂ（第２の面）には、液晶パネル等の表示パネル７が設けられ」るものであるから、本願発明１の「カバー層」に相当する。
イ．引用発明の「液晶パネル等の表示パネル７」は、「タッチパネル２」を介して「表示カバー５」の下方に設けられているから、本願発明１の「前記カバー層の下部に位置し、液晶層及び前記液晶層を挟んで位置する第１ガラス層及び第２ガラス層を含むＬＣＤパネル及び前記ＬＣＤパネルがディスプレイ機能を遂行するようにする構成を含むディスプレイモジュール」と「前記カバー層の下部に位置し、液晶層を含むＬＣＤパネルを含むディスプレイモジュール」である点で一致する。
ウ．引用発明の「感圧センサ」を構成する「第１の電極１０と、第２の電極１１」は、「金属ペーストを印刷したもの」であるから「シート状に形成された」といい得るものであり、また、「表示パネル７の下面７ｂ及び金属シールド９にそれぞれ設けられ、」「操作領域５ａの中央に対応する位置に所定の面積で設けられた」ものであるから「前記ディスプレイモジュールの下部であって前記ディスプレイモジュールの表示領域と垂直方向において重なり合う位置に配置され」たといい得るものである。
　したがって、引用発明の「第１の電極１０と、第２の電極１１」は、本願発明１の「前記ディスプレイモジュールの下部であって前記ディスプレイモジュールの表示領域と垂直方向において重なり合う位置に配置され、シート状に形成された圧力電極」に相当する。
エ．引用発明の「第１の電極１０と、第２の電極１１」は、「表示パネル７の下面７ｂ及び金属シールド９にそれぞれ設けられ」ているから、引用発明の「金属シールド９」は、「第１の電極１０と、第２の電極１１」の下側に位置するといえる。
　また、引用発明の「金属シールド９」は、「表示パネル７の下側」に設けられ、「回路基板とこれに搭載される演算処理回路、メモリ等を含む各種電子部品で構成」される「制御ユニットＣ」は「金属シールド９とフレームの底部４ｃの間の空間内に配置」されるものであるから、引用発明の「金属シールド９」は、「制御ユニットＣ」が配置される空間を「表示パネル７」から分離するように構成されているといえる。
　したがって、引用発明の「金属シールド９」は、本願発明１の「前記圧力電極の下部に位置し、バッテリ及び回路基板のうちの少なくとも一つの実装空間を前記ディスプレイモジュールから分離し、もしくは前記ディスプレイモジュールから発生するノイズを遮蔽するように構成された遮蔽用部材」に相当する。
オ．引用発明の「タッチパネル２」は、「静電容量方式のものが用いられ」るから、本願発明１の「静電容量方式でタッチを感知するタッチセンサ」に相当する。
カ．引用発明の「タッチパネル２」は、「検出用Ｘ透明電極パターン及び検出用Ｙ透明電極パターンには所定の電圧が加えられ、操作領域５ａに操作子が接触すると、接触位置で重なるＸ透明電極パターン及び検出用Ｙ透明電極パターンの静電容量が変化し、その変化が制御ユニットＣにて検出され、制御ユニットＣは、検出された電流の変化に基づいて、操作子が接触した位置のＸＹ座標を特定し、その結果に基づいてセンサ装置１００の動作を制御するもの」であるから、引用発明の「タッチパネル２」が「検出用Ｘ透明電極パターン及び検出用Ｙ透明電極パターン」を含むことは、本願発明１の「前記タッチセンサは、複数の駆動電極と複数の受信電極とを含」むことに相当し、引用発明の「タッチパネル２」により「操作子が接触した位置のＸＹ座標を特定」することは、本願発明１の「前記タッチセンサに駆動信号が印加され、前記タッチセンサから出力される感知信号からタッチ位置を検出することができ」ることに相当する。
キ．引用発明の「感圧センサ」は、「操作領域５ａに加えられた押圧力が、表示カバー５の撓み量に応じた第１及び第２の電極１０及び１１間の静電容量の変化に基づいて検出され」るものであることは、本願発明１の「前記圧力電極から出力される静電容量の変化量に基づいてタッチ圧力の大きさを検出することができ」ることに相当する。
ク．引用発明の「電子機器１０００」は、「携帯電話等が挙げられる」ものであるから、本願発明１の「スマートフォン」に相当する。
　したがって、両者は以下の一致点と相違点とを有する。 
　
〈一致点〉
「カバー層と、
　前記カバー層の下部に位置し、液晶層を含むＬＣＤパネルを含むディスプレイモジュールと、
　前記ディスプレイモジュールの下部であって前記ディスプレイモジュールの表示領域と垂直方向において重なり合う位置に配置され、シート状に形成された圧力電極と、
　前記圧力電極の下部に位置し、バッテリ及び回路基板のうちの少なくとも一つの実装空間を前記ディスプレイモジュールから分離し、もしくは前記ディスプレイモジュールから発生するノイズを遮蔽するように構成された遮蔽用部材と、を含み、
　静電容量方式でタッチを感知するタッチセンサであり、
　前記タッチセンサは、複数の駆動電極と複数の受信電極とを含み、
　前記タッチセンサに駆動信号が印加され、前記タッチセンサから出力される感知信号からタッチ位置を検出することができ、
　前記圧力電極から出力される静電容量の変化量に基づいてタッチ圧力の大きさを検出することができる、
スマートフォン。」
〈相違点１〉
　本願発明１は、「ディスプレイモジュール」が「液晶層及び前記液晶層を挟んで位置する第１ガラス層及び第２ガラス層を含むＬＣＤパネル及び前記ＬＣＤパネルがディスプレイ機能を遂行するようにする構成を含む」ものであるのに対し、引用発明は、「液晶層を挟んで位置する第１ガラス層及び第２ガラス層を含む」こと、「ＬＣＤパネルがディスプレイ機能を遂行するようにする構成を含む」ことが特定されていない点。
〈相違点２〉
　本願発明１は、「タッチセンサの少なくとも一部が」、ディスプレイモジュールの「前記第１ガラス層と前記第２ガラス層との間に位置」するものであるのに対し、引用発明は、「タッチパネル２」は「表示パネル７」と別に設けられるものである点。
〈相違点３〉
　本願発明１は、「前記遮蔽用部材が基準電位層であり、（タッチ圧力の大きさを検出する）前記静電容量は、前記圧力電極と前記基準電位層との間の距離によって変わる自己静電容量である」のに対して、引用発明は、「押圧力が、表示カバー５の撓み量に応じた第１及び第２の電極１０及び１１間の静電容量の変化に基づいて検出され」るものである点。
（２）相違点についての判断
　事案に鑑みて、上記相違点３について先に検討すると、引用文献５には、「駆動電極６１」と「受信電極６６」とを同一面に設けると共に、これら両電極と対向する位置に「接地電極６３」を設けた「感圧センサ６０」をタッチパネルに設ける技術が記載されており、また、「自己静電容量」の変化によりタッチを検出すること自体は周知技術であるものと認められるのの、「遮蔽部材」を「基準電位層」とすると共に、「圧力電極」と「基準電位層」との間の距離によって変わる「自己静電容量」によりタッチ圧力の大きさを検出する構成である、相違点３に係る本願発明１の「前記遮蔽用部材が基準電位層であり、（タッチ圧力の大きさを検出する）前記静電容量は、前記圧力電極と前記基準電位層との間の距離によって変わる自己静電容量である」という構成は、上記引用文献１−５には記載されておらず、本願優先日前において周知技術であるともいえない。
　したがって、他の相違点について判断するまでもなく、本願発明１は、当業者であっても引用発明、引用文献２−５に記載された技術的事項に基づいて容易に発明できたものであるとはいえない。
２．本願発明２−１２について
　本願発明２−６は、請求項１を引用する発明であり、本願発明７は、本願発明１の「前記遮蔽用部材が基準電位層であり、（タッチ圧力の大きさを検出する）前記静電容量は、前記圧力電極と前記基準電位層との間の距離によって変わる自己静電容量である」という構成と同一の構成を備えるものであり、また、本願発明８−１２は、請求項７を引用する発明であるから、本願発明１と同じ理由により、当業者であっても、引用発明、引用文献２−５に記載された技術的事項に基づいて容易に発明できたものであるとはいえない。
第７　原査定についての判断
　平成２９年３月１７日付けの補正により、補正後の請求項１−１２は、「前記遮蔽用部材が基準電位層であり、（タッチ圧力の大きさを検出する）前記静電容量は、前記圧力電極と前記基準電位層との間の距離によって変わる自己静電容量である」という構成を有するものとなった。当該  「前記遮蔽用部材が基準電位層であり、（タッチ圧力の大きさを検出する）前記静電容量は、前記圧力電極と前記基準電位層との間の距離によって変わる自己静電容量である」という構成は、原査定における引用文献Ａ−Ｆには記載されておらず、本願優先日前における周知技術でもないので、本願発明１−１２は、当業者であっても、原査定における引用文献Ａ−Ｆに基づいて容易に発明できたものではない。したがって、原査定を維持することはできない。
第８　むすび
　以上のとおり、原査定の理由によって、本願を拒絶することはできない。
　他に本願を拒絶すべき理由を発見しない。
　よって、結論のとおり審決する。